(57)【要約】【課題】  音声・音楽データが別々のトラックに分割された場合でも、分割部分を円滑に連結して再生できる音声・音楽データ圧縮記録方法を提供すること。【解決手段】  本発明に係る音声・音楽データ圧縮記録方法は、連続して順次入力される音声・音楽データのトラックを、トラック毎にサブフレームに分割して圧縮して記録する音声・音楽データ記録方法であって、連続して順次入力される音声・音楽データの特定トラックが、特定トラックに対して直前または直後のトラックとデータ連結されているかを識別し、特定トラックが上記直前または／および直後のトラックとデータ連結されている場合、直前のトラックの後尾部または／および直後のトラックの先頭部の音声・音楽データを含めて、特定トラックの音声・音楽データをサブフレームに分割後、重ね合わせ、窓関数演算、離散コサイン変換、量子化等の処理を行い、符号化して記録媒体に記録する。【選択図】          図７
2006053485.tif 000002
【特許請求の範囲】
【請求項１】
連続して順次入力される音声・音楽データのトラックを、トラック毎にサブフレームに分割して、上記音声・音楽データを上記サブフレーム毎に圧縮して記録する音声・音楽データ記録方法であって、
連続して順次入力される音声・音楽データの特定トラックが、該特定トラックに対して直前または直後のトラックとデータ連結されているかを識別し、
上記特定トラックが上記直前または／および直後のトラックとデータ連結されている場合、上記直前のトラックの後尾部または／および直後のトラックの先頭部の音声・音楽データを含めて、上記特定トラックの音声・音楽データを前後のサブフレームの半分が互いに重なるようにサブフレームに分割し、
サブフレームに分割後の上記特定トラックの音声・音楽データを互いに前後する各サブフレーム間で重ね合わせ、
重ね合せ後の上記特定トラックの各サブフレームの音声・音楽データに窓関数を演算し、
上記窓関数が演算された特定トラックの各サブフレームの音声・音楽データを離散コサイン変換し、
上記離散コサイン変換された上記特定トラックの各サブフレームの音声・音楽データを量子化後、符号化して記録媒体に記録することを特徴とする音声・音楽データ記録方法。
【請求項２】
連続して順次入力される音声・音楽データの特定トラックが、該特定トラックに対して直前または直後のトラックとデータ連結されているかの識別は、直前のトラックの後尾部から前へ任意数または／および直後のトラックの先頭部から後へ任意数の音声・音楽データのサンプルデータの有無に応じて行われることを特徴とする請求項１に記載の音声・音楽データ記録方法。
【請求項３】
特定トラックが直前または／および直後のトラックとデータ連結されている場合、
データ連結情報を上記特定トラックのヘッダ部またはフッタ部に記録することを特徴とする請求項１に記載の音声・音楽データ記録方法。
【請求項４】
上記任意数のサンプルデータの少なくとも１以上のサンプルデータが存在する場合に、連続して順次入力される音声・音楽データの特定トラックが、該特定トラックに対して直前または直後のトラックとデータ連結されていると識別することを特徴とする請求項２に記載の音声・音楽データ記録方法。
【請求項５】
上記任意数のサンプルデータの全てのサンプルデータが存在する場合に、連続して順次入力される音声・音楽データの特定トラックが、該特定トラックに対して直前または直後のトラックとデータ連結されていると識別することを特徴とする請求項２に記載の音声・音楽データ記録方法。
【請求項６】
請求項１に記載の音声・音楽データ記録方法により記録された音声・音楽データの圧縮データをサブフレーム毎に復号し、この復号されたサブフレーム毎の音声・音楽データの圧縮データを逆量子化後、逆離散コサイン変換し、この逆離散コサイン変換後の音声・音楽データに窓関数を演算し、この窓関数が演算された各サブフレームの音声・音楽データを重ね合せた後、データ合成し、音声・音楽データを再生出力する音声・音楽データ再生方法であって、
特定トラックが直前または／および直後のトラックとデータ連結され、かつ、上記特定トラックの先頭部または／および後尾部のサブフレームである場合、
上記重ね合せ後に、上記特定のトラックの先頭部または／および後尾部のサブフレームに含まれた、直前のトラックの後尾部または／および直後のトラックの先頭部の音声・音楽データを削除した後、各サブフレームをデータ合成することを特徴とする音声・音楽データ再生方法。
【請求項７】
連続して順次入力される音声・音楽データのトラックを、トラック毎にサブフレームに分割して、上記音声・音楽データを上記サブフレーム毎に圧縮して記録する音声・音楽データ記録装置であって、
連続して順次入力される音声・音楽データの特定トラックが、該特定トラックに対して直前または／および直後のトラックとデータ連結されているかを識別する識別手段、
上記特定トラックが上記直前または／および直後のトラックとデータ連結されている場合、上記直前のトラックの後尾部または／および直後のトラックの先頭部の音声・音楽データを含めて、上記特定トラックの音声・音楽データを前後のサブフレームの半分が互いに重なるようにサブフレームに分割する分割手段、
この分割手段のよりサブフレームに分割後の上記特定トラックの音声・音楽データを互いに前後する各サブフレーム間で重ね合せる重ね合せ手段、
この重ね合せ手段による重ね合せ後の上記特定トラックの各サブフレームの音声・音楽データに窓関数を演算する演算手段、
この演算手段により上記窓関数が演算された特定トラックの各サブフレームの音声・音楽データを離散コサイン変換する変換手段、および
この変換手段により離散コサイン変換された上記特定トラックの各サブフレームの音声・音楽データを量子化後、符号化して記録媒体に記録する記録手段を備えたことを特徴とする音声・音楽データ記録装置。
【請求項８】
請求項１に記載の音声・音楽データ記録方法により記録された音声・音楽データの圧縮データを復号し、この復号されたサブフレーム毎の音声・音楽データの圧縮データを逆量子化後、逆離散コサイン変換し、この逆離散コサイン変換後の音声・音楽データに窓関数を演算し、この窓関数が演算された各サブフレームの音声・音楽データを重ね合せた後、データ合成し、音声・音楽データを再生出力する音声・音楽データ再生装置であって、
特定トラックが直前または／および直後のトラックとデータ連結され、かつ、上記特定トラックの先頭部または／および後尾部のサブフレームである場合、
上記重ね合せ後に、上記特定のトラックの先頭部または／および後尾部のサブフレームに含まれた、直前のトラックの後尾部または／および直後のトラックの先頭部の音声・音楽データを削除する削除手段、
およびこの削除手段によりデータ削除された後の各サブフレームをデータ合成する合成手段を特徴とする音声・音楽データ再生装置。
【発明の詳細な説明】
【技術分野】
【０００１】
この発明は、トラック毎に音声・音楽データを順次記録・再生する音声・音楽データ記録方法、音声・音楽データ再生方法、音声・音楽データ記録装置、および音声・音楽データ再生装置に関する。
【背景技術】
【０００２】
従来から、音声・音楽データは、インターネットを介した音楽データの提供や音楽データ再生装置の記録・再生等を通じて、ＭＰ３（ＭＰＥＧ  Ａｕｄｉｏ  Ｌａｙｅｒ  ＩＩＩ）形式で圧縮・伸長して利用されている。ＭＰＥＧとは、Ｍｏｖｉｎｇ  Ｐｉｃｔｕｒｅ  Ｅｘｐｅｒｔｓ  Ｇｒｏｕｐの略で、ＩＳＯ/ＩＥＣ(国際電気標準会議)の動画圧縮に関する研究グループの通称である。ＭＰ３形式を用いて音声・音楽データをデータ圧縮すると、例えばＣＤ（Ｃｏｎｐａｃｔ  Ｄｉｓｃ）に記録された１４Ｍｂの音声・音楽データを約１０分の１である１．４Ｍｂ以下に圧縮することができ、データ容量を小さくすることができる。このため、ＭＰ３形式は、小型再生装置に適用されたり、インターネット等で利用される伝送媒体として利用されたりし、広く活用されてきた。
【０００３】
例えば、ＣＤに記憶された音楽データは、曲毎に音楽データを再生できるように、１曲毎にデータを圧縮し、また、曲間で連続再生可能に関連つけて１枚のアルバムに相当する圧縮データを作成する。このとき、複数曲が収録されたＣＤの場合、曲の終わりの部分では徐々に音量を小さくしていくフェードアウト制御が用いられることが多い。しかし、流れよく音楽データを連続再生したいときには、曲の終わり部分の低音量部分を再生しないで、例えば一定音量以上の音声が存在する主要な部分だけを再生したい場合もある。
【０００４】
このような再生を実現する例として、例えば、曲間の円滑な連結が可能な音楽データ再生装置として複数曲を連続演奏するのに、アウトロ部のような曲の終わりの低音量部分に対して、音量レベル、曲の終わりまでの残り時間、特定周波数の音量レベル、ボーカル成分の有無等で曲間の連続再生の条件設定し、アウトロ部のような低音量部分を再生しないで音楽データの重要部分のみを曲毎に順次連続再生できる音声データ再生装置が記載されている（例えば、特許文献１参照）。
【特許文献１】特開２００３−５８１９２号公報（［００３５］〜［００３７］）
【０００５】
ここで、複数曲が収録されたＣＤではなくて、例えばクラシック楽曲やコンサートライブなどの音の途切れがない音楽データが収録されたＣＤを圧縮する場合や長時間に及ぶ会議音声を圧縮する場合、ＭＰ３の規格では圧縮可能なデータ容量は制限されていないため、クラシック楽曲、長時間コンサートライブ、長時間の会議音声等を１つの圧縮ファイルに変換することも可能である。しかし、クラシック楽曲やコンサートライブの場合、特定楽章等の特定部分から聞けるように、クラッシク楽曲の場合は楽章毎に、コンサートライブの場合には曲間を、データ分割して記録されている場合も多い。また、会議音声の場合、細切れに区切りを挟むことにより、例えば会議の特定時間の議事を確認したいとき、会議後日の議事確認が容易となる。
【０００６】
このとき、例えば分割された音声・音楽データが、曲の途中であった場合や発言最中であった場合、当該分割データの後尾部分ではＣＤの曲間のアウトロ部のような低音量部分を含まない。このような場合、特許文献１に記載の従来技術では、前後する２つの分割データのうち、前の分割ファイルの最後の部分および後の分割ファイルの最初の部分の接続タイミングを正確に認識することが困難であり、円滑な音の連結が行えなかった。
【０００７】
また、ＭＰ３によるデータ圧縮では、音声・音楽データを複数のサブフレームに分割した後、時間領域のデータを５０％ずつオーバーラップさせながらＤＣＴ（Ｄｉｓｃｒｅｔｅ  Ｃｏｓｉｎｅ  Ｔｒａｎｓｆｏｒｍ：離散コサイン変換）を行うＭＤＣＴ（Ｍｏｄｉｆｉｅｄ  Ｄｉｓｃｒｅｔｅ  Ｃｏｓｉｎｅ  Ｔｒａｎｓｆｏｒｍ：変形離散コサイン変換）処理により変換する。ここで、ＭＤＣＴ処理とは音の連続性、フレーム間のつなぎ合せの不自然さを無くすために、サブフレームのそれぞれに対して、前後するフレーム端のサンプルの一部をオーバーラップさせて、不要な高周波成分を除去し、オーバーラップ部分の出力制御のために窓掛けをした後に、ＤＣＴ処理を行い、ＤＣＴ係数を出力させるものである。
このため、トラック毎の音声・音楽の分割データにも、それぞれＭＤＣＴ処理が施されるが、各々の分割データの先頭部と後尾部の両端部分は、それ以外の部分と比較して音量レベルが小さくなってしまう。その結果、連結する分割データ間において、前の分割データと後の分割ファイルとの間は音量レベルも小さくなり、その結果、円滑な音の連結が行えなかった。
【発明の開示】
【発明が解決しようとする課題】
【０００８】
この発明は、このような問題点を解決するためになされたものであり、音声・音楽データが別々のトラックに分割された場合でも、分割部分を円滑に連結して再生できる音声・音楽データ圧縮記録方法、この音楽データ圧縮記録方法で作成された音声・音楽データを再生する音声・音楽データ再生方法、音声・音楽データ圧縮記録装置、および音声データ再生装置を提供することを目的とする。
【課題を解決するための手段】
【０００９】
本発明に係る音声・音楽データ記録方法は、連続して順次入力される音声・音楽データのトラックを、トラック毎にサブフレームに分割して、上記音声・音楽データを上記サブフレーム毎に圧縮して記録する音声・音楽データ記録方法であって、連続して順次入力される音声・音楽データの特定トラックが、該特定トラックに対して直前または直後のトラックとデータ連結されているかを識別し、上記特定トラックが上記直前または／および直後のトラックとデータ連結されている場合、上記直前のトラックの後尾部または／および直後のトラックの先頭部の音声・音楽データを含めて、上記特定トラックの音声・音楽データを前後のサブフレームの半分が互いに重なるようにサブフレームに分割し、サブフレームに分割後の上記特定トラックの音声・音楽データを互いに前後する各サブフレーム間で重ね合わせ、重ね合せ後の上記特定トラックの各サブフレームの音声・音楽データに窓関数を演算し、上記窓関数が演算された特定トラックの各サブフレームの音声・音楽データを離散コサイン変換し、上記離散コサイン変換された上記特定トラックの各サブフレームの音声・音楽データを量子化後、符号化して記録媒体に記録することを特徴とするものである。
このような方法により、音声・音楽データが別々のトラックに分割された場合でも、分割部分を円滑に連結して再生できる。
【００１０】
また、連続して順次入力される音声・音楽データの特定トラックが、該特定トラックに対して直前または直後のトラックとデータ連結されているかの識別は、直前のトラックの後尾部から前へ任意数または／および直後のトラックの先頭部から後へ任意数の音声・音楽データのサンプルデータの有無に応じて行われてもよい。
【００１１】
また、特定トラックが直前または／および直後のトラックとデータ連結されている場合、データ連結情報を上記特定トラックのヘッダ部またはフッタ部に記録してもよい。
【００１２】
また、上記任意数のサンプルデータの少なくとも１以上のサンプルデータが存在する場合に、連続して順次入力される音声・音楽データの特定トラックが、該特定トラックに対して直前または直後のトラックとデータ連結されていると識別するようにしてもよい。
【００１３】
また、上記任意数のサンプルデータの全てのサンプルデータが存在する場合に、連続して順次入力される音声・音楽データの特定トラックが、該特定トラックに対して直前または直後のトラックとデータ連結されていると識別するようにしてもよい。
【００１４】
本発明に係る音声・音楽データ再生方法は、請求項１に記載の音声・音楽データ記録方法により記録された音声・音楽データの圧縮データをサブフレーム毎に復号し、この復号されたサブフレーム毎の音声・音楽データの圧縮データを逆量子化後、逆離散コサイン変換し、この逆離散コサイン変換後の音声・音楽データに窓関数を演算し、この窓関数が演算された各サブフレームの音声・音楽データを重ね合せた後、データ合成し、音声・音楽データを再生出力する音声・音楽データ再生方法であって、特定トラックが直前または／および直後のトラックとデータ連結され、かつ、上記特定トラックの先頭部または／および後尾部のサブフレームである場合、上記重ね合せ後に、上記特定のトラックの先頭部または／および後尾部のサブフレームに含まれた、直前のトラックの後尾部または／および直後のトラックの先頭部の音声・音楽データを削除した後、各サブフレームをデータ合成することを特徴とするものである。
このような方法により、音声・音楽データが別々のトラックに分割された場合でも、分割部分を円滑に連結して再生できる。
【００１５】
本発明に係る音声・音楽データ記録装置は、連続して順次入力される音声・音楽データのトラックを、トラック毎にサブフレームに分割して、上記音声・音楽データを上記サブフレーム毎に圧縮して記録する音声・音楽データ記録装置であって、連続して順次入力される音声・音楽データの特定トラックが、該特定トラックに対して直前または／および直後のトラックとデータ連結されているかを識別する識別手段、上記特定トラックが上記直前または／および直後のトラックとデータ連結されている場合、上記直前のトラックの後尾部または／および直後のトラックの先頭部の音声・音楽データを含めて、上記特定トラックの音声・音楽データを前後のサブフレームの半分が互いに重なるようにサブフレームに分割する分割手段、この分割手段のよりサブフレームに分割後の上記特定トラックの音声・音楽データを互いに前後する各サブフレーム間で重ね合せる重ね合せ手段、この重ね合せ手段による重ね合せ後の上記特定トラックの各サブフレームの音声・音楽データに窓関数を演算する演算手段、この演算手段により上記窓関数が演算された特定トラックの各サブフレームの音声・音楽データを離散コサイン変換する変換手段、およびこの変換手段により離散コサイン変換された上記特定トラックの各サブフレームの音声・音楽データを量子化後、符号化して記録媒体に記録する記録手段を備えたことを特徴とするものである。
このような構成により、音声・音楽データが別々のトラックに分割された場合でも、分割部分を円滑に連結して再生できる。
【００１６】
本発明に係る音声・音楽データ再生装置は、請求項１に記載の音声・音楽データ記録方法により記録された音声・音楽データの圧縮データを復号し、この復号されたサブフレーム毎の音声・音楽データの圧縮データを逆量子化後、逆離散コサイン変換し、この逆離散コサイン変換後の音声・音楽データに窓関数を演算し、この窓関数が演算された各サブフレームの音声・音楽データを重ね合せた後、データ合成し、音声・音楽データを再生出力する音声・音楽データ再生装置であって、特定トラックが直前または／および直後のトラックとデータ連結され、かつ、上記特定トラックの先頭部または／および後尾部のサブフレームである場合、上記重ね合せ後に、上記特定のトラックの先頭部または／および後尾部のサブフレームに含まれた、直前のトラックの後尾部または／および直後のトラックの先頭部の音声・音楽データを削除する削除手段、およびこの削除手段によりデータ削除された後の各サブフレームをデータ合成する合成手段を特徴とするものである。
このような構成により、音声・音楽データが別々のトラックに分割された場合でも、分割部分を円滑に連結して再生できる。
【発明の効果】
【００１７】
この発明により、音声・音楽データが別々のトラックに分割された場合でも、分割部分を円滑に連結して再生できる音声・音楽データ記録方法、音声・音楽データ記録装置、上記音声・音楽データ記録方法で記録された音声・音楽データを再生する音声・音楽データ再生方法、音声・音楽データ再生装置を提供することができる。
【発明を実施するための最良の形態】
【００１８】
発明の実施の形態１．
本発明の実施の形態１について、図に基づいて説明する。
まず、最初にＭＰ３の音声・音楽データのデータ構成について、図１に基づいて説明する。
図１は、ＭＰ３のデータ構造の概略図である。
図１に示されるように、ＭＰ３では、音声・音楽データは階層化され、複数のフレームで構成されている。ここでＭＰ３規格では、各フレーム１０はそれぞれ１１５２サンプルの圧縮化されたデータを有している。各フレーム１０は、それぞれ同期符号１１、ヘッダ情報１２、メインデータ１３から構成され、同期符号１１はフレーム１０の先頭を示す符号である。ヘッダ情報１２はフレームのビットレート、サンプリング周波数などに関する情報を示し、メインデータ１３は実際に圧縮化された音声・音楽データである。
このＭＰ３に関するは、ＭＰ３規格書（ＩＳＯ/ＩＥＣ１１１７２−３  Ｉｎｔｅｒｎａｔｉｏｎａｌ  Ｓｔａｎｄａｒｄ（Ａｕｇ．１９９３））に詳しく記載されている。      
【００１９】
次に、一般的なＭＰ３の圧縮処理について、説明する。
図２は、一般的なＭＰ３の圧縮処理のフローを説明する図である。
図３は、一般的なＭＰ３のＭＤＣＴ処理を説明する図である。
ここで、ＭＤＣＴ処理とは、上述の通り、音の連続性、フレーム間のつなぎ合せの不自然さを無くすために、サブフレームのそれぞれに対して、前後するフレーム端のサンプルの一部をオーバーラップさせて、不要な高周波成分を除去し、オーバーラップ部分の出力制御のために窓掛けをした後に、ＤＣＴ処理を行い、ＤＣＴ係数を出力させるものである。また、ＭＤＣＴ処理は、時間領域のデータを５０％ずつオーバーラップさせながらＤＣＴ処理を行うものである。従ってＤＣＴ処理では例えば時間領域Ｎ個のデータから周波数領域Ｎ／２個のデータが得られるのに対し、ＭＤＣＴ処理では周波数領域でＮ個のデータが得られる。
【００２０】
図２、図３において、まず、図３（ａ）に示されるように、トラック毎に音声・音楽データのサンプルＳ１、Ｓ２、・・・Ｓｎ・・・を、ＤＳＰ等のプロセッサに入力する（ＳＴ２０１）。次に、プロセッサは、所定の圧縮プログラムに従い、入力データのサンプルを、時間領域のデータを５０％ずつオーバーラップ可能に３２サブフレームに分割する（ＳＴ２０２）。すなわち、図３（ｂ）に示されるように、Ｓ１〜Ｓ６、Ｓ４〜Ｓ９、Ｓ７〜Ｓ１２、・・・となるようにサンプルを分割する。次に、分割された３２サブフレーム各々に対して、図３（ｂ）のように、５０％ずつオーバーラップさせる（ＳＴ２０３）。次に、オーバーラップ後の各サブフレームに対し、窓関数を乗算することで窓掛けを行う（ＳＴ２０４）。ここで、窓関数とは、後述のＤＣＴ演算を施すサンプルデータを取り出す処理の事をいう。
【００２１】
次に、図３（ｄ）に示された窓掛け結果Ｓ１ａ〜Ｓ６ｆ、Ｓ４ａ〜Ｓ９ｆ、Ｓ７ａ〜Ｓ１２ｆ、・・・に対し、図３（ｅ）に示されるようにサブフレーム毎にＤＣＴ演算を行い、図３（ｆ）に示されるように５７６（３２サブフレーム×１８）のサブバンド係数Ｃ１、Ｃ２、Ｃ３、・・・がＤＣＴ係数として出力される（ＳＴ２０５）。次に、サブバンド係数Ｃ１、Ｃ２、Ｃ３、・・・Ｃｎ・・・に量子化処理が行われ（ＳＴ２０６）、ハフマン符号化（Ｈｕｆｆｍａｎ  Ｅｎｃｏｄｉｎｇ）がされ（ＳＴ２０７）、ＭＰ３のフレームが生成され、出力される（ＳＴ２０８）。次に、入力サンプルの有無を確認し（ＳＴ２０９）、入力サンプルがある場合には（ＳＴ２０９）、再度、ＳＴ２０１〜ＳＴ２０９の処理を繰り返す。一方、入力サンプルがない場合には（ＳＴ２０９）、ＭＰ３の圧縮処理を終了する。
【００２２】
なお、ハフマン符号化とは、あるデータの内部に出現する情報（テキストファイルにおける文字、単語など）に符号を割り当てる際に、出現率の高いものにはなるべく短い符号を、逆に出現率の低いものには長い符号を割り当てるデータ圧縮方法の１つであり、ＦＶ符号（Ｆｉｘｅｄ−ｔｏ−Ｖａｒｉａｂｌｅ）と呼ばれることもある。このような可変長の符号化を効率的に行なうことで、個々の情報に一定サイズの符号を割り当てる方式のＦＦ符号（Ｆｉｘｅｄ−Ｆｉｘｅｄ）よりも効率よくデータを圧縮できる。
【００２３】
次に、一般的なＭＰ３の伸長処理について、説明する。
図４はＭＰ３の伸長処理のフローを説明する図である。
図５は一般的なＭＰ３の逆ＭＤＣＴ処理を説明する図である。
逆ＭＤＣＴ（Ｉｎｖｅｒｓｅ Ｍｏｄｉｆｉｅｄ Ｄｉｓｃｒｅｔｅ Ｃｏｓｉｎｅ Ｔｒａｎｓｆｏｒｍ：逆変形離散コサイン変換)とは、エンコーダーのＭＤＣＴに対する逆変換である。
【００２４】
図４、図５において、まず、トラック毎にＭＰ３の音声・音楽の圧縮フレームデータを、ＤＳＰ等のプロセッサに入力する（ＳＴ４０１）。次に、プロセッサは、入力された圧縮フレームデータに対して、ハフマン復号をする（ＳＴ４０２）。ここで、ハフマン復号とは、ハフマン符号化されたデータを復号することをいい、このハフマン復号化により５７６個のサンプルデータを得ることができる。次に、ハフマン復号化されたサブフレーム各々のデータに対して、逆量子化を行う（ＳＴ４０３）。次に図５（ｂ）に示されるように、逆量子化により得られたＤＣＴ係数Ｃ１、Ｃ２、Ｃ３、・・・Ｃｎ・・・に対して、逆ＤＣＴ演算を行い（ＳＴ４０４）、図５（ｃ）に示されるように、逆ＤＣＴ演算結果Ｒ１〜Ｒ６、Ｒ７〜Ｒ１２、Ｒ１３〜Ｒ１８・・・を出力する。
【００２５】
次に、図５（ｄ）に示されるように、窓関数を演算することにより、窓掛けを行う（ＳＴ４０５）。次に、図５（ｅ）に示されるように、窓掛け後のサンプルデータＳ１ａ〜Ｓ６ｆ、Ｓ４ａ〜Ｓ９ｆ、Ｓ７ａ〜１０ｆ、・・・を各サブフレームの時間領域の５０％を互いにオーバーラップして（ＳＴ４０６）、各サブフレームのサンプルを出力する。次に、各サブフレームのサンプルをサブバンド合成し（ＳＴ４０７）、図５（ｆ）に示されるような最終的なオーディオサンプルデータＳ１、Ｓ２、Ｓ３、・・・、Ｓｎ、・・を出力する（ＳＴ４０８）。次に、フレーム入力の有無を確認し（ＳＴ４０９）、フレーム入力がある場合には（ＳＴ４０９）、再度、ＳＴ４０１〜ＳＴ４０９の処理を繰り返す。一方、フレーム入力がない場合には（ＳＴ４０９）、ＭＰ３の伸長処理を終了する。
【００２６】
次に、本願発明に係る音楽データ記録装置および音楽データ再生装置の構成について、説明する。
図６は、本願発明に係る音楽データ記録装置および音楽データ再生装置の構成を示す図であって、図６（ａ）は音楽データ記録装置、図６（ｂ）は音楽データ再生装置の構成を示す図である。
図６（ａ）において、音楽データ記憶部２０は、デジタル化された無圧縮のＰＣＭ（Ｐｕｌｓｅ  Ｃｏｄｅ  Ｍｏｄｕｌａｔｉｏｎ）の音楽データを記憶しており、記憶されたＰＣＭの音楽データをトラックごとに順次、演算部３０へ出力する。
演算部３０はＣＰＵやＤＳＰで構成され、圧縮条件設定手段４０に予め登録されたオーディオ圧縮プログラムに従って、音楽データ記憶部２０に記憶されるＰＣＭの音楽データをＭＰ３形式データへ圧縮する。
【００２７】
圧縮条件設定手段４０は、ＰＣＭの音楽データがトラック毎に順次、演算部３０に入力された時点で、当該圧縮対象のＰＣＭ音楽データの特定のトラックに対して直前または直後のトラックとデータ連結されているかを識別し、識別結果を例えば図１に示したように、ＭＰ３形式へ圧縮後のデータの各フレームのヘッダ部１２に識別情報として記録する。
圧縮データ記憶部５０は、演算部３０でＭＰ３形式データへ圧縮したオーディオデータを記録・記憶する。また、メモリ６０は、演算部３０がオーディオ圧縮プログラムを実行する際に、ワークメモリとしての役割を果たすともに、圧縮演算結果の一時的記憶部としての役割を果たしている。なお、各部の動作については、後述の音声・音楽データの圧縮方法の説明で具体的に説明する。
【００２８】
図６（ｂ）において、図６（ａ）で説明した音楽データ記録装置との相違点は、図６（ａ）の圧縮条件設定手段４０に替えて、伸長条件設定手段７０を設けた点である。
圧縮データ記憶部５０は、ＭＰ３形式で記憶されている圧縮オーディオデータを、トラックごとに順次、演算部３０へ出力する。
圧縮データ記憶部５０に記憶されているＭＰ３形式のデータの各フレームのヘッダ部には、当該圧縮対象のＰＣＭ音楽データの特定のトラックに対して直前または直後のトラックとデータ連結されているかを識別した結果である識別情報が、記録されている。伸長条件設定手段７０は、演算部３０に順次入力される圧縮オーディオデータから、フレーム毎にヘッダ部の識別情報を取得する。
【００２９】
演算部３０は、圧縮データ記憶部５０から順次入力される圧縮オーディオデータを、伸長条件設定手段７０に予め設定されているオーディオ伸長プログラムに従い、データ伸長する。音楽データ記憶部２０は、演算部３０から入力されるデータ伸長後のＰＣＭ音楽データを記録し、図示しないスピーカ等の出力部へ出力し、出力部はＰＣＭ音楽データを再生する。メモリ６０は、オーディオ圧縮プログラムを実行する際と同様に、オーディオ伸長プログラムを実行する際に、ワークメモリとしての役割を果たすともに、圧縮演算結果の一時的記憶部としての役割を果たしている。
なお、各部の動作については、後述の音声・音楽データ伸長方法の説明で具体的に説明する。
また、上記図６の説明においては、音楽データを記録または再生する説明をしたが、音楽データに限らず、例えば、会議音声のような音声データにも対応可能なものとする。
【００３０】
次に、本発明に係る音声・音楽データ記録方法を図に基づいて説明する。
図７は、本発明に係る音声・音楽データ記録方法のデータ圧縮処理のフローを説明する図である。
図８は、本願発明に係る音声・音楽データ記録方法で用いるＭＤＣＴ処理を説明する図であって、特に特定トラックと直前のトラックとデータ連結されている場合のＭＤＣＴ処理の説明する図である。
図９は、特定トラックに対して直前のトラックとデータ連結されているかを識別するフローを示す図である。
図１０は、本願発明に係る音声・音楽データ記録方法で用いるＭＤＣＴ処理を説明する図であって、特に特定トラックと直後のトラックとデータ連結されている場合のＭＤＣＴ処理の説明する図である。
図１１は、特定トラックに対して直後のトラックとデータ連結されているかを識別するフローを示す図である。
【００３１】
図７において、一般的なＭＰ３の圧縮処理のフローを説明する図２との相違点は、第一に圧縮処理スタート及びサンプル入力（ＳＴ２０１）間に、圧縮対象である特定トラックが当該特定トラックの直前のトラックと連結しているか否かを確認し、確認結果に応じて直前のトラックの最尾部のサンプルを入力するステップ（ＳＴ７１１、ＳＴ７１２）が追加されている点、第二に入力サンプルの有無確認（ＳＴ２０９）および圧縮処エンド（ＳＴ２１０）間に圧縮対象である特定トラックが当該特定トラックの直後のトラックと連結しているか否かを確認し、確認結果に応じて直後のトラックの先頭部のサンプルを入力するステップ（ＳＴ７１３、ＳＴ７１４）が追加されている点である。
図６（ａ）、図７、図８において、まず、音楽データ記憶部２０から演算部３０に図８（ａ）に示されるようなＰ１、Ｐ２・・・Ｐ６、Ｓ１、Ｓ２、Ｓ３、・・・Ｓｎ、・・のサブバンドサンプル入力がなされる。次に、圧縮条件設定手段４０は入力された各トラックの各フレームのヘッダに記録された前後するトラック間連結情報を取得し、連続して順次入力される音声・音楽データの特定トラックが、特定トラックに対して直前のトラックとデータ連結されているかを識別する（ＳＴ７１１）。Ｓ１、Ｓ２、Ｓ３、・・・Ｓｎ、・・をＭＰ３圧縮対象の特定トラックとすると、Ｐ１〜Ｐ６は特定トラックの直前のトラックの最尾部となる。
【００３２】
ここで、図９を用いて、特定トラックに対して直前のトラックとデータ連結されているかを識別する処理について、具体的に説明する。
図９において、演算部３０は、音楽データ記憶部２０から音声・音楽データが入力されると、圧縮条件設定手段４０からのトラック間連結情報を取得し、識別処理を開始する。まず、特定トラックの直前のトラックとの接続フラグを初期化するため、ＯＦＦ状態にする（ＳＴ９０１）。次に、特定トラックの先頭部における任意数のサンプルを取得する（ＳＴ９０２）。なお、サンプルの任意数は例えば１０サンプルである。次に、取得した任意数のサンプルデータが全て０か否か確認する（ＳＴ９０３）。取得した任意数のサンプルデータが全て０でない場合には、特定トラックに対して直前のトラックとデータ連結されていると判断し、直前のトラックとの接続フラグをＯＮ状態にする（ＳＴ９０５）。一方、取得した任意数のサンプルデータが全て０である場合には、特定トラックに対して直前のトラックとデータ連結されていないと判断する。次に、直前のトラックとの接続フラグを、例えば音声・音楽データのＭＰ３圧縮ファイルのヘッダ部にフレーム毎に記憶して（ＳＴ９０５）、処理を終了する。
なお、ＳＴ９０３では、取得した任意数のサンプルデータが全て０か否か確認するとしたが、これに替えて、任意数のサンプルデータの少なくとも１つが０であるか否かを基準に確認するとしてもよい。
【００３３】
次に、圧縮条件設定手段２０が、特定トラックが直前トラックとデータ連結されていると判断した場合、特定トラックを圧縮するサンプルデータとして、音楽データ記憶部２０は、図８（ｂ）に示された特定トラックの直前のトラックの後尾部の音声・音楽データのサンプルＰ１〜Ｐ６を演算部３０に入力する（ＳＴ７１２）。従って、後述のＭＤＣＴ処理では、ＭＰ３への圧縮対象である特定トラックに直前のトラックの後尾部のサンプルデータを任意数付加して、行われる。次に、音楽データ記憶部２０は、データ圧縮対象の特定トラックのサンプルＳ１、Ｓ２、Ｓ３、・・・Ｓｎ、・・も演算部３０に入力する（ＳＴ２０１）。一方、圧縮条件設定手段２０が、特定トラックが直前トラックとデータ連結されていないと判断した場合には、Ｓ７１１、Ｓ７１２の処理を行わず、Ｓ２０１の処理を行う。次に、演算部３０は、入力データのサンプルを図８に示されるように、Ｐ１〜Ｐ６、Ｐ４〜Ｓ３、Ｓ１〜Ｓ６、・・・の３２サブフレームに分割する（ＳＴ２０２）。
【００３４】
次に、分割された３２サブフレーム各々に対して、図８（ｂ）のように、５０％ずつオーバーラップさせる（ＳＴ２０３）。このとき、Ｐ４〜Ｓ３のサブフレームでは、特定トラックの直前のトラックの最後部のサンプルＳ１、Ｓ２、Ｓ３をも含んでいる。次に、オーバーラップ後の各サブフレームに対し、窓関数を乗算することで窓掛けを行う（ＳＴ２０４）。次に図８（ｄ）に示された窓掛け結果Ｐ１ａ〜Ｐ６ｆ、Ｐ４ａ〜Ｓ３ｆ、Ｓ１ａ〜Ｓ６ｆ、・・・に対し、図８（ｅ）に示されるようにサブフレーム毎にＤＣＴ演算を行い、図８（ｆ）に示されるように５７６（３２サブフレーム×１８）のサブバンド係数Ｃ１、Ｃ２、Ｃ３、・・・がＤＣＴ係数として出力する（ＳＴ２０５）。次に、サブバンド係数Ｃ１、Ｃ２、Ｃ３、・・・Ｃｎ・・・に量子化処理が行われ（ＳＴ２０６）、ハフマン符号化（Ｈｕｆｆｍａｎ  Ｅｎｃｏｄｉｎｇ）がされ（ＳＴ２０７）、ＭＰ３のフレームが生成され、演算部３０から圧縮データ記憶部５０へ出力される（ＳＴ２０８）。
【００３５】
次に、図６（ａ）、図７、図１０において、入力サンプルが続く場合（ＳＴ２０９）、音楽データ記憶部２０から演算部３０に図１０（ａ）に示されるように、Ｓ１、Ｓ２、Ｓ３、・・・Ｓｎに引き続いて、Ｎ１、Ｎ２、Ｎ３、・・・Ｎ６のサブバンドサンプル入力がなされ（ＳＴ２０１）、ＳＴ２０１〜ＳＴ２０９を繰り返す。
次に、入力サンプルが続かない場合（ＳＴ２０９）、圧縮条件設定手段４０は入力された各トラックの各フレームのヘッダに記録された前後するトラック間連結情報を取得し、連続して順次入力される音声・音楽データの特定トラックが、特定トラックに対して直後のトラックとデータ連結されているかを識別する（ＳＴ７１３）。ここで、Ｓ１、Ｓ２、Ｓ３、・・・Ｓｎ、・・がＭＰ３圧縮対象の特定トラックなので、Ｎ１〜Ｎ６は特定トラックの直後のトラックの先頭部となる。
【００３６】
次に、圧縮条件設定手段２０が、特定トラックが直前トラックとデータ連結されていると判断した場合（ＳＴ７１３）、特定トラックを圧縮するサンプルデータとして、音楽データ記憶部２０は、図９（ｂ）に示された特定トラックの直後のトラックの先頭部の音声・音楽データのサンプルＮ１〜Ｎ６を含めて演算部３０に入力する（ＳＴ７１４）。従って、後述のＭＤＣＴ処理では、ＭＰ３への圧縮対象である特定トラックに直後のトラックの先頭部のサンプルデータを任意数付加して行われる。次に、ＭＤＣＴ処理等の処理ＳＴ２０１〜ＳＴ２０９の処理を繰り返し行い、再度、特定トラックに対して直後のトラックとデータ連結されているかを識別し（ＳＴ７１３）、データ連結されていない場合には、圧縮処理を終了する。そして、圧縮データ記憶部５０は、トラック毎に順次入力される音声・音楽データのＭＰ３の圧縮データを記憶していく。
【００３７】
一方、圧縮条件設定手段２０が、特定トラックが直前トラックとデータ連結されていないと判断した場合には、Ｓ７１３、Ｓ７１４の処理を行わず、特定トラックのデータ圧縮処理を終了する。次に、音楽データ記憶部２０は、データ圧縮対象の特定トラックのサンプルＳ１、Ｓ２、Ｓ３、・・・Ｓｎ、・・も演算部３０に入力する（ＳＴ２０１）。以後、音声・音楽データが順次トラック毎に音楽データ記憶部２０から演算部３０へ出力され、演算部３０が、圧縮条件手段４０からの圧縮プログラムに従い、音声・音楽データをＭＰ３に圧縮し、圧縮データ記憶部５０へ出力する。
【００３８】
ここで、図１１を用いて、特定トラックに対して直後のトラックとデータ連結されているかを識別する処理について、具体的に説明する。
図１１において、演算部３０は、音楽データ記憶部２０から音声・音楽データが入力されると、圧縮条件設定手段４０からのトラック間連結情報を取得し、まず、特定トラックの直前のトラックとの接続フラグを初期化するため、ＯＦＦ状態にする（ＳＴ１１０１）。次に、特定トラックの先頭部における任意数のサンプルを取得する（ＳＴ１１０２）。なお、サンプルの任意数は例えば１０サンプルである。次に、取得した任意数のサンプルデータが全て０か否か確認する（ＳＴ１１０３）。取得した任意数のサンプルデータが全て０でない場合には、特定トラックに対して直前のトラックとデータ連結されていると判断し、直前のトラックとの接続フラグをＯＮ状態にする（ＳＴ１１０４）。一方、取得した任意数のサンプルデータが全て０の場合には、特定トラックに対して直前のトラックとデータ連結されていないと判断する。次に、直前のトラックとの接続フラグを、例えば音声・音楽データのＭＰ３圧縮ファイルのヘッダ部にフレーム毎に記憶して（ＳＴ１１０５）、処理を終了する。
なお、ＳＴ１１０３では、取得した任意数のサンプルデータが全て０か否か確認するとしたが、任意数のサンプルデータの少なくとも１つが０であるか否かを基準に確認するとしてもよい。
【００３９】
次に、本発明に係る音声・音楽データ再生方法を説明する。
図１２は、本発明に係る音声・音楽データ再生方法のデータ伸長処理のフローを説明する図である。
図１３は、本願発明に係る音声・音楽データ再生方法で用いる逆ＭＤＣＴ処理を説明する図であって、特に特定トラックと直前のトラックとデータ連結されている場合の逆ＭＤＣＴ処理の説明する図である。
図１４は、本願発明に係る音声・音楽データ再生方法で用いる逆ＭＤＣＴ処理を説明する図であって、特に特定トラックと直後のトラックとデータ連結されている場合の逆ＭＤＣＴ処理の説明する図である。
図１２において、一般的なＭＰ３の伸長処理のフローを説明する図４との相違点は、オーバーラップ（ＳＴ４０６）及びサブバンド合成（ＳＴ４０７）間に、第一に圧縮対象である特定トラックが当該特定トラックの直前のトラックと連結しているか否かを確認し、確認結果に応じて先頭部の不要なサブバンドサンプルを削除するステップ（ＳＴ１２１１、ＳＴ１２１２）が追加されている点、第二に圧縮対象である特定トラックが当該特定トラックの直後のトラックと連結しているか否かを確認し、確認結果に応じて後尾部（最後部）の不要なサブバンドサンプルを削除するステップ（ＳＴ１２１３、ＳＴ１２１４）が追加されている点である。
【００４０】
図６（ｂ）、図１２において、圧縮データ記憶部５０は、まず、トラック毎にＭＰ３の音声・音楽の圧縮フレームデータを、演算部３０にフレーム入力する（ＳＴ４０１）。次に、演算部３０は、入力された圧縮フレームデータに対して、ハフマン復号をし（ＳＴ４０２）、ハフマン復号化されたサブフレーム各々のデータに対して逆量子化を行う（ＳＴ４０３）。次に、図１３（ａ）に示されるように、逆量子化により得られたＤＣＴ係数Ｃ１、Ｃ２、Ｃ３、・・・Ｃｎ・・・に対して逆ＤＣＴ演算を行い（ＳＴ４０４）、図１３（ｃ）に示されるように、逆ＤＣＴ演算結果Ｒ１〜Ｒ６、Ｒ７〜Ｒ１２、Ｒ１３〜Ｒ１８・・・を出力する。
【００４１】
次に、図１３（ｄ）に示されるように、窓関数を演算することにより窓掛けを行い（ＳＴ４０５）、図１３（ｅ）に示されるように窓掛け後のサンプルデータＰ１ａ〜Ｐ６ｆ、Ｐ４ａ〜Ｓ３ｆ、Ｓ１ａ〜Ｓ６ｆ、・・・を各サブフレームの時間領域の５０％を互いにオーバーラップして（ＳＴ４０６）、各サブフレームのサンプルを出力する。ここで、Ｐ４ａ〜Ｓ３ｆのサブフレームは、ＭＰ３への圧縮対象の特定トラックの直前のトラックのサンプルデータＰ４ａ、Ｐ５ｂ、Ｐ６ｃを含んでいる。従って、このサブフレームに対する逆ＭＤＣＴ処理では、ＭＰ３への圧縮対象である特定トラックに直前のトラックの後尾部のサンプルデータを任意数付加して行われる。
【００４２】
次に、圧縮条件設定手段２０が、圧縮データ記憶部５０から入力されるＭＰ３の音声・音楽の圧縮データのフレーム毎に設けられたヘッダ部に記録された情報から、特定トラックが直前トラックとデータ連結されているか否かを判断する（ＳＴ１２１１）。特定トラックが直前トラックとデータ連結されていると判断した場合（ＳＴ１２１１）、図１３（ｆ）に示されるように、オーバーラップ後、特定トラックにおけるサンプルデータの先頭部に位置する、直前のトラックの最尾部の不要なサブバンドサンプルＰ１〜Ｐ６を削除する（ＳＴ１２１２）。サブバンドサンプルＰ１〜Ｐ６は、ＭＰ３伸長対象の特定トラックの直前の最尾部のデータであり、特定トラックが直前のトラックと連結している場合、サブバンドサンプルＰ１〜Ｐ６は、特定トラックの直前のトラックで既に再生されるため、後述のサブバンド合成前の現段階で、取り除いておく必要がある。
【００４３】
一方、特定トラックが直前トラックとデータ連結されていないと判断した場合（ＳＴ１２１１）、圧縮条件設定手段２０が、圧縮データ記憶部５０から入力されるＭＰ３の音声・音楽の圧縮データのフレーム毎に設けられたヘッダ部に記録された情報から、特定トラックが直後トラックとデータ連結されているか否かを判断する（ＳＴ１２１３）。特定トラックが直後トラックとデータ連結されていると判断した場合、図１４（ｆ）に示されるように、オーバーラップ後、特定トラックにおけるサンプルデータの後尾部に位置する、直後のトラックの先頭部の不要なサブバンドサンプルＮ１〜Ｎ６を削除する（ＳＴ１２１４）。サブバンドサンプルＮ１〜Ｎ６は、ＭＰ３伸長対象の特定トラックの直後の先頭部のデータであり、特定トラックが直後のトラックと連結している場合、サブバンドサンプルＮ１〜Ｎ６は、特定トラックの直後のトラックで再生されるため、後述のサブバンド合成前の現段階で、取り除いておく必要がある。
【００４４】
次に、Ｐ１〜Ｐ６及びＮ１〜Ｎ６のサンプルが削除された出力サンプルＳ１〜Ｓｎを、サブバンド合成し（ＳＴ４０７）、図１４（ｇ）に示されるようなＳ１〜Ｓｎのサブバンド出力サンプルを得る（ＳＴ４０８）。
次に、再度、入力されるフレームの有無を確認し（ＳＴ４０９）、入力フレームがある場合には図１２のＳＴ４０１〜ＳＴ４０９を繰り返す。一方、入力フレームがない場合には（ＳＴ４０９）、ＭＰ３データの伸長処理を終了する。
以上の伸長処理により得られたデータは、図６（ｂ）の演算部３０から音声データ記憶部２０へ出力され、音声データ記憶部２０は入力されたデータを記憶する。また、音声データ記憶部２０で記憶された音声・音楽データは、図示しないスピーカ等の出力装置で再生される。
【００４５】
このようにして、連続して順次入力される音声・音楽データの特定トラックが、特定トラックに対して直前または直後のトラックとデータ連結されているかを識別し、特定トラックが直前または／および直後のトラックとデータ連結されている場合、直前のトラックの後尾部または／および直後のトラックの先頭部の音声・音楽データを含めて、特定トラックの音声・音楽データを前後のサブフレームの半分が互いに重なるようにサブフレームに分割した後、ＭＤＣＴ処理を行いデータ圧縮するので、音声・音楽データが別々のトラックに分割された場合でも分割部分を円滑に連結して再生できる。
また、このような方法によりデータ圧縮された音声・音楽のＭＰ３圧縮データについて、特定トラックに対して直前または直後のトラックとデータ連結されているかを識別し、特定トラックが直前または／および直後のトラックとデータ連結されている場合、不要な音楽・音声データを削除してデータ伸長しているので、音声・音楽データが別々のトラックに分割された場合でも分割部分を円滑に連結して再生できる。
【００４６】
図１５は、分割されたトラック間の連結状態を説明する図である。
すなわち、図１５（ａ）に示されるように、特定トラック（前のトラック）と直後のトラック（後のトラック）とした場合、特定トラック（前のトラック）をＭＰ３にデータ圧縮するのに、直後のトラック（後のトラック）の先頭部の任意数のサンプルを含めて、サブフレームに分割後、ＭＤＣＴ処理を行っているため、特定トラック（前のトラック）の最尾部は直後のトラック（後のトラック）の先頭部の音声・音楽データと連続するように、圧縮されている。
また、図１５（ｂ）に示されるように、特定トラック（後のトラック）と直前のトラック（前のトラック）とした場合、特定トラック（前のトラック）をＭＰ３にデータ圧縮するのに、直前のトラック（前のトラック）の後尾部の任意数のサンプルを含めて、サブフレームに分割後、ＭＤＣＴ処理を行っているため、特定トラック（後のトラック）の先頭部は直前のトラック（前のトラック）の先頭部の音声・音楽データと連続するように、圧縮されている。
【００４７】
従って、図１５（ａ）、（ｂ）に示された前後のトラックを連結する際に、図１３、図１４で説明した通り、音声・音楽データ伸長時に、不要なサブバンドサンプルＮ１〜Ｎ６およびＰ１〜Ｐ６を削除できた場合、図１５（ｃ）に示されるように、トラック間の分割部分を円滑に連結して音切れなく再生できる。
【図面の簡単な説明】
【００４８】
【図１】ＭＰ３のデータ構造の概略図である。
【図２】一般的なＭＰ３の圧縮処理のフローを説明する図である。
【図３】一般的なＭＰ３のＭＤＣＴ処理を説明する図である。
【図４】ＭＰ３の伸長処理のフローを説明する図である。
【図５】一般的なＭＰ３の逆ＭＤＣＴ処理を説明する図である。
【図６】本発明に係る音楽データ記録装置および音楽データ再生装置の構成を示す図であって、図６（ａ）は音楽データ記録装置、図６（ｂ）は音楽データ再生装置の構成を示す図である。
【図７】本発明に係る音声・音楽データ記録方法の圧縮処理のフローを説明する図である。
【図８】本願発明に係る音声・音楽データ記録方法で用いるＭＤＣＴ処理を説明する図であって、特に特定トラックと直前のトラックとデータ連結されている場合のＭＤＣＴ処理の説明する図である。
【図９】特定トラックに対して直前のトラックとデータ連結されているかを識別するフローを示す図である。
【図１０】本願発明に係る音声・音楽データ記録方法で用いるＭＤＣＴ処理を説明する図であって、特に特定トラックと直後のトラックとデータ連結されている場合のＭＤＣＴ処理の説明する図である。
【図１１】特定トラックに対して直後のトラックとデータ連結されているかを識別するフローを示す図である。
【図１２】本発明に係る音声・音楽データ再生方法のデータ再生方法の伸長処理のフローを説明する図である。
【図１３】本願発明に係る音声・音楽データ再生方法で用いる逆ＭＤＣＴ処理を説明する図であって、特に特定トラックと直前のトラックとデータ連結されている場合の逆ＭＤＣＴ処理の説明する図である。
【図１４】本願発明に係る音声・音楽データ再生方法で用いる逆ＭＤＣＴ処理を説明する図であって、特に特定トラックと直後のトラックとデータ連結されている場合の逆ＭＤＣＴ処理の説明する図である。
【図１５】分割されたトラック間の連結状態を説明する図である。
【符号の説明】
【００４９】
１０  フレームデータ、  １１  同期符号、  １２  ヘッダ情報、  １３  メインデータ、  ２０  音楽データ記憶部、  ３０  演算部、  ４０  圧縮条件設定手段、  ５０  圧縮データ記憶部、  ６０  メモリ、  ７０  伸長条件設定手段。
【図１】
2006053485.tif 000003
【図２】
2006053485.tif 000004
【図３】
2006053485.tif 000005
【図４】
2006053485.tif 000006
【図５】
2006053485.tif 000007
【図６】
2006053485.tif 000008
【図７】
2006053485.tif 000009
【図８】
2006053485.tif 000010
【図９】
2006053485.tif 000011
【図１０】
2006053485.tif 000012
【図１１】
2006053485.tif 000013
【図１２】
2006053485.tif 000014
【図１３】
2006053485.tif 000015
【図１４】
2006053485.tif 000016
【図１５】
2006053485.tif 000017